(57)【要約】【課題】長手方向の長さの異なるパネルをその長辺同士で連結する場合であっても、２つのパネル同士を十分に連結することができる吊り足場用パネルとその連結方法の提供。【解決手段】縦横に連結させ水平方向に構築していく長方形の吊り足場用パネルであって、長辺間連結金具が、１つの長辺当たり、両端部またはその近傍にそれぞれ１個と非端部に少なくとも１個設けられており、かつ、非端部に設けられる長辺間連結金具に最も近い端部との間の距離が１ｍ以内であることを特徴とする吊り足場用パネル。【選択図】図１４
2015081455.tif 000002
【特許請求の範囲】
【請求項１】
縦横に連結させ水平方向に構築していく長方形の吊り足場用パネルであって、長辺間連結金具が、１つの長辺当たり、両端部またはその近傍にそれぞれ１個と非端部に少なくとも１個設けられており、かつ、非端部に設けられる長辺間連結金具に最も近い端部との間の距離が１ｍ以内であることを特徴とする吊り足場用パネル。
【請求項２】
縦横に連結させ水平方向に構築していく長方形の吊り足場用パネルであって、長辺間連結金具が、１つの長辺当たり、一方の端部またはその近傍に１個と非端部に１個以上設けられており、かつ、非端部に設けられる長辺間連結金具と他方の端部との間の距離が１ｍ以内であることを特徴とする吊り足場用パネル。
【請求項３】
長辺間連結金具が長辺部上で移動可能であることを特徴とする、請求項１または２に記載の吊り足場用パネル。
【請求項４】
長辺間連結金具が、一方の長辺から突出した連結具と、他方の長辺に設けられかつその突出した連結具の先端を差し込むことのできる孔を有する連結受け部との組合せからなることを特徴とする、請求項１から３までのいずれかに記載の吊り足場用パネル。
【請求項５】
長辺間連結金具が、一方の長辺に設けられた連結受け部内の突出した預け金具と、他方の長辺に設けられた連結受け部内の突出した受け金具の組合せからなることを特徴とする、請求項１から３までのいずれかに記載の吊り足場用パネル。
【請求項６】
縦横に連結させ水平方向に構築していく吊り足場用パネルの連結方法であって、長辺間連結金具が、１つの長辺当たり、両端部またはその近傍にそれぞれ１個設けられてなるパネルに、このパネルよりも長い長辺を有する請求項１から５までのいずれかに記載のパネルを長辺同士で連結する際に、両パネルの一方の端部またはその近傍に設けられた長辺間連結金具同士を連結し、そして、前者のパネルの他方の端部またはその近傍に設けられた長辺間連結金具に、後者のパネルの非端部に設けられた長辺間連結金具のうち他方の端部との間の距離が１ｍ以内にある長辺間連結金具を連結することを特徴とする吊り足場用パネルの連結方法。
【請求項７】
縦横に連結させ水平方向に構築していく吊り足場用パネルの連結方法であって、請求項１から５までのいずれかに記載のパネルに、このパネルよりも短い長辺を有し、かつ長辺間連結金具が、１つの長辺当たり、両端部またはその近傍にそれぞれ１個設けられてなるパネルを長辺同士で連結する際に、両パネルの一方の端部またはその近傍に設けられた長辺間連結金具同士を連結し、そして、前者のパネルの非端部に設けられた長辺間連結金具のうち他方の端部との間の距離が１ｍ以内にある長辺間連結金具に、後者のパネルの他方の端部またはその近傍に設けられた長辺間連結金具を連結することを特徴とする吊り足場用パネルの連結方法。
【発明の詳細な説明】
【技術分野】
【０００１】
本発明は、道路などの橋桁の補修や点検作業などで仮設される吊り足場用パネルおよびその連結方法に関する。
【背景技術】
【０００２】
一般に、橋や高速道路などの橋桁の補修や点検作業では、その下が川や車道であることが多いことから、地上から仮設足場を組み上げることができない。このため、橋桁に吊って設置する吊り足場を仮設することが多い。
【０００３】
従来、この種の吊り足場としては、「単管足場方式」が知られている。これは、橋桁に吊りチェーンを橋桁の軸方向（車の進行方向）に所定間隔に垂設し、この吊りチェーンの間に親パイプを橋桁の軸方向に架け渡し、平行する親パイプの間に橋桁の軸直角方向に転がしパイプを所定間隔に複数本架け渡し、その後、これらの転がしパイプの上に足場板の複数本を橋桁の軸方向に平行に設置し、さらに足場板の下側と両側面に安全ネットを張ることによって、構成される。
【０００４】
しかしながら、単管足場方式による吊り足場は、単管、足場板、チェーンなどの部品を一つ一つ、クランプ等の連結金具で連結しながら設置していく必要があるため、仮設および撤去作業がきわめて煩わしく、面倒なだけでなく危険であった。
【０００５】
このため、概略長方形に形成された骨組の上方に床材を固定し一体化してなるパネル材を、橋桁の橋梁部から吊り下げたチェーンで吊りながら、縦横に連結して水平方向に足場面積を広げていく「パネル方式」が提案され実用化されてきている。
【０００６】
図１は、パネル方式による吊り足場の模式図である。(a)が橋桁の軸直角方向の断面図であり、(b)がそのＡ−Ａ矢視の平面図である。
【０００７】
この吊り足場１は、橋桁の床版部２の下方に適宜間隔に設けられた、橋梁部３を形成するＩ形鋼のフランジ３ａからチェーンクランプ４によってチェーン５を吊り下げる。この吊りチェーン５を橋桁の軸方向に、あるいは橋桁の軸方向および橋桁の軸直角方向の両方向に複数本設置し、併せて、長方形のパネル６をチェーン位置７でチェーン５によって吊りながらパネル６の長辺６ａ同士および短辺６ｂ同士をそれぞれ連結具によって、長方形のパネルを水平方向に複数枚連結していくのである。
【０００８】
ここで、橋梁部３の横幅３ｂはほぼ一定であり、それに応じて、設置する吊り足場の横幅も橋梁部の一定の横幅３ｂを少々上回るように、長方形のパネル６の複数枚が水平方向に連結される。すなわち、設置する吊り足場の横幅の両端部のそれぞれが橋梁部投影線のそれぞれの外側に位置するように、長方形のパネル６の複数枚が水平方向に連結されるのである。
【０００９】
しかし、高速道路等の高架橋には、走行車両にトラブルが発生したときのために、車両を本線から速やかに退避できるように約１ｋｍ毎に避難所が設けられている場合が多い。避難所を設けるためにはその幅分の拡幅部２ａを形成することになるため、橋梁部の横幅は避難所の幅の分だけ広くなる。したがって、その下に設置する吊り足場の横幅もまた広くする必要がある。
【００１０】
このとき、橋梁部の横幅は、経済性を考慮して、橋梁部全体の横幅を広げるのではなく、避難所が存在する部分のみ橋梁部を拡幅することがなされることが多い。なお、橋梁部の平面形状にとらわれることなく、避難所のある橋梁部の下に設けられる吊り足場の横幅については、同じ長手方向の長さのパネルを敷き並べて、吊り足場全体の横幅を避難所の幅の分だけ広げる（図２参照）ことも考えられるが、不要な個所にまでパネルを設置することになるので不経済である。したがって、通常は、橋梁部の平面形状に合わせて、避難所のある橋梁部の下に設けられる吊り足場のパネルのみに長手方向の長さの異なるパネルを用いることで、必要な個所のみにパネルを敷き並べて、吊り足場の横幅の一部を避難所の幅の分だけ広げる（図３参照）ことがなされることが多い。
【００１１】
図２は、吊り足場の横幅の全部を避難所の幅の分だけ広げたときの模式図である。(a)が橋桁の軸直角方向の断面図であり、(b)がそのＢ−Ｂ矢視の平面図である。
【００１２】
ここでは、左端に設置するパネルは、橋梁部の平面形状にとらわれることなく、全部が同じ４ｍの長手方向の長さのものが用いられている。拡幅部以外の本来設置が不要な個所（左上端および左下端）にまでパネルを設置することになるので不経済であることが分かる
【００１３】
図３は、吊り足場の横幅の一部を避難所の幅の分だけ広げたときの模式図である。(a)が橋桁の軸直角方向の断面図であり、(b)がそのＣ−Ｃ矢視の平面図である。
【００１４】
ここでは、左端に設置するパネルは、橋梁部の平面形状に合わせて、３ｍと４ｍの２種類の長手方向の長さのものが用いられている。拡幅部直下の必要な個所のみにパネルを敷き並べていることが分かる。
【００１５】
特許文献１には、吊り足場パネルとして、パネルの長辺同士を連結するために、パネル長辺部の２個所に長辺間連結金具を設け、これらの２つの長辺間連結金具でもって、設置後のパネルの長辺に連結すべきパネルの長辺を連結することのできるパネルが提案されている。ここでは、長辺間連結金具として、パネル長辺部の一方の側面にパネル長辺部から突出した連結具と、パネル長辺部の他方の側面に設けられかつその突出した連結具の先端を差し込むことのできる孔を有する連結受け部の組み合わせからなるものが記載されている。
【００１６】
図４は、特許文献１に基づいて実用化されているパネルの一例（従来例）である。(a)が背面図、(b)が平面図、(c)が正面図、そして、(d)がＤ−Ｄ矢視図である。
【００１７】
このパネルはパネル長辺６ａとパネル短辺６ｂからなる長方形を有している。パネル長辺部の一方の側面にパネル長辺部から突出する連結具１１が２個所設けられており、そして、パネル長辺部の他方の側面にはその突出した連結具１１の先端に差し込むことのできる孔を有する連結受け部１２が２個所設けられている。パネルの上面には床材８が張られていて、作業員がその上で作業をすることができる。作業員（図示せず）は設置済みのパネルの上にひざをついて、そのパネルの連結具１１の先端に、連結すべきパネルの連結受け部１２の孔を外挿した後、連結受け部１２に穿たれた貫通孔１３と連結具１１に穿たれた係止孔１４を位置合わせしてから、両方の孔に貫通ピン１５を差し込んだ後、調整ボルト１６を締めることによって、パネルの長辺方向同士の連結が完了する。すなわち、連結すべきパネルをチェーン５によって吊り下げながら、設置済みのパネルのパネル長辺部から突出する連結具１１に、連結すべきパネルの連結受け部１２の孔を外挿することによって、２つのパネルの長辺同士を２個所で連結するのである。
【００１８】
なお、このパネルの両短辺は丸パイプで形成されており、パネルの短辺同士の連結は通常の固定クランプで２つの丸パイプを係り止めすることでなされる。
【先行技術文献】
【特許文献】
【００１９】
【特許文献１】特公平７−１０３６７９号公報
【発明の概要】
【発明が解決しようとする課題】
【００２０】
しかしながら、長手方向の長さの異なるパネルをその長辺同士で連結しようとすると、次に示すとおり、２つのパネルの長辺同士を十分に連結することができない事態が生じる。
【００２１】
図５は、長手方向の長さの異なるパネル(A)と(B)を連結しようとするときの模式図である。(ア)は短いパネルの連結、（イ）は同じ長さのパネルの連結、そして、（ウ）は短いパネルの連結を、それぞれ示す。
【００２２】
パネル(A)の長手方向の長さは３ｍであり、パネル(B)の長手方向の長さは４ｍである。なお、前述したとおり、パネルはチェーンで吊り下げられる。チェーンを通すパネル位置は、パネルの端部の短辺部材として用いられる丸パイプとすることができる。通常は、各パネル当たり２個所においてチェーンで吊り下げられる。チェーンを通す位置は、パネルの両端部の短辺部材の中央部がよいが、パネルの床面に設けてなる吊りフック９としてもよい。パネル(B)の床面には吊りフック９が設けられている。
【００２３】
（ア）設置済みの下方表示の短いパネル(A)に上方表示の長いパネル(B)を連結しようとする場合、上方表示の長いパネル(B)の右側の連結受け部１２は下方表示の短いパネル(A)の連結部１１に外挿できる（○印で示す）が、上方表示の長いパネル(B)の左側の連結受け部１２は対応する位置に下方表示の短いパネル(A)の連結部１１が存在しないので外挿することができない（×印で示す）。したがって、２つのパネルの長辺同士を十分に連結することができない。
【００２４】
（イ）設置済みの下方表示の長いパネル(B)に上方表示の長いパネル(B)を連結しようとする場合、上方表示の長いパネル(B)の右側の連結受け部１２は下方表示の長いパネル(B)の連結部１１に外挿できる（○印で示す）。そして、上方表示の長いパネル(B)の左側の連結受け部１２は対応する位置に下方表示の長いパネル(B)の連結部１１が存在するので外挿することができる（○印で示す）。したがって、２つのパネルの長辺同士を十分に連結することができる。
【００２５】
（ウ）設置済みの下方表示の長いパネル(B)に上方表示の短いパネル(A)を連結しようとする場合、上方表示の短いパネル(A)の右側の連結受け部１２は下方表示の長いパネル(B)の連結部１１に外挿できる（○印で示す）が、上方表示の短いパネル(A)の左側の連結受け部１２は対応する位置に下方表示の長いパネル(B)の連結部１１が存在しないので外挿することができない（×印で示す）。したがって、２つのパネルの長辺同士を十分に連結することができない。
【００２６】
このように、長手方向の長さの異なるパネルの長辺同士を連結しようとすると、十分に連結することができない事態が生じる結果、作業員がパネル上を歩く際に、パネル材が沈み込む可能性がある。短いパネルに長いパネルを連結する場合を例にとって、発生する問題を次に考察する。
【００２７】
図６および図７は、設置済みの２枚の短パネルに長パネルを連結したときの模式図である。図６(a)が平面図、そして、図６(b)がＥ−Ｅ矢視の長パネル上を作業員が歩くときの状況、図７(a)および図７(b)がＦ−Ｆ矢視の長パネル上を作業員が歩くときの状況をそれぞれ示す。
【００２８】
図６(a)において、◎印はパネル間の連結が十分な個所であり、反対に×印はパネル間の連結が不十分は個所であることを示している。すなわち、図６(a)の右側の連結部においては、パネル間は十分に連結されている。したがって、図６(b)に示すように、作業員が短パネルの右端から移動して長パネルの右端（Ｅ−Ｅ矢視部）に足を乗せても、連結された短パネルの重みにより、パネルが回転したり沈み込んだりすることはない。
【００２９】
しかし、図６(a)の左側の網掛け部分は隣接する短パネルとの間の連結が不十分である。したがって、各パネルがそれぞれ図示される吊り位置１０においてチェーンで吊り下げられている状況で、作業員が短パネルからの左端から移動して長パネルの左端（Ｆ−Ｆ矢視部）の網掛け部分に足を乗せると、図７(a)にみるごとく、足を乗せた部分のパネルが沈み込み、パネル間が開いて隙間が生じるおそれがある。その結果、その隙間に作業員の足が落ち込む危険性がある。
【００３０】
さらに、作業員が長パネルの左端（Ｆ−Ｆ矢視部）の網掛け部分の先端部に足を乗せると、図７(b)にみるごとく、長パネルの中央位置の吊りチェーンを軸にしてパネル先端部が沈み込み、そして、その反対側が浮き上がる結果となり、作業員が足を滑らせるおそれがある。その結果、作業員がパネルの外側に転落する危険性がある。
【００３１】
このような危険性のあるパネルをその上面から見ても判別は困難である。そして、パネルは常に十分に連結されているとの思いこみがあることや、吊り足場の設置作業者と設置後の吊り足場での作業者とは異なることが多いことから、次に示すように、パネル間の連結の補強がなされている。
【００３２】
図８は、吊り下げるチェーン数を増やすことで、パネルを安定化した例である。(a)が平面図、そして、(b)がＧ−Ｇ矢視の長パネル上を作業員が歩くときの状況を示す。
【００３３】
ここでは、設置済みの短パネルの左端の短辺部材と、連結すべき長パネルの左端で吊り下げるチェーン数をそれぞれ２個所に増やし、かつ、それらの吊り位置をいずれもパネル短辺の両端部に寄せることでもパネルを安定化させている。その他、単管等を使用して連結具の代用・補強をすることもできる。しかし、その分、施工の手間が増え、コストもアップする。
【００３４】
本発明は、以上の課題を解決するためになされたもので、長手方向の長さの異なるパネルをその長辺同士で連結する場合であっても、２つのパネル同士を十分に連結することができる吊り足場用パネルおよびその連結方法を提供することを目的とする。
【課題を解決するための手段】
【００３５】
本発明者らは、長手方向の長さの異なる吊り足場用パネルをその長辺同士で連結する場合であっても、２つのパネル同士を十分に連結することが可能な吊り足場用パネルについて、検討を重ねた。その結果、次に示す(a)〜(g)の知見を得た。
【００３６】
(a) ２つのパネルをその長辺同士で十分に連結するためには、各パネル当たり２個所においてチェーンで吊り下げられている場合には、少なくとも２個所の連結個所で連結する必要がある。１個所だけでは、作業員がパネルの端部に足を乗せたときに、足を乗せた部分のパネルが沈み込み、パネル間が開いて隙間が生じて、その隙間に作業員の足が落ち込む危険性があるからである。さらに、作業員がパネルの端部に体重をかけたときに、パネル先端部が沈み込み、そして、その反対側が浮き上がって、作業員が足を滑らせて、作業員がパネルの外側に転落する危険性があるからである。
【００３７】
(b) ２つのパネルをその長辺同士で連結する手法としては、図４に示したように、長辺間連結金具として、一方の長辺から突出した連結具と、他方の長辺に設けられかつその突出した連結具の先端を差し込むことのできる孔を有する連結受け部との組合せを採用することができる。この連結具と連結受け部の組み合わせによる連結手法に基づいて、図４に示した設置済みの吊り足場用パネルに長手方向の長さの異なるパネルを連結することについて、考察してみる。
【００３８】
(c) まずは、吊り足場の横幅を広げる場合を考えてみると、設置済みのパネルは図４に示すパネル、すなわち、長辺間連結金具が、１つの長辺当たり、両端部にそれぞれ１個設けられてなるパネルが使われている。したがって、連結すべきパネルは、図４に示す設置済みのパネル（短パネル）よりも長い長辺を有する長パネルとなるから、この長パネルにおける長辺間連結金具の位置を考えればよいことになる。
【００３９】
この長パネルの長辺部を短パネルの長辺部に連結するためには、長辺部連結金具を少なくとも２個所で連結できればよいことになる。短パネルの長辺間連結金具はその両端部にそれぞれ１個設けられているから、長パネルには短パネルの長辺間連結金具の位置に対応して、長辺間連結金具を設ければよいことになる。すなわち、長パネルの長辺間連結金具は、長パネルの一端部に１個と非端部に１個設けられていればよい。このとき、長短パネルの長辺部同士の連結は、一方が長短パネルのそれぞれの一端の設けられた長辺間連結金具によって、そして、他方が長パネルの非端部に設けられた長辺間連結金具と短パネルの他端に設けられた長辺間連結金具によって、なされることになる。よって、長パネルの他端には長辺間連結金具を設ける必要はないが、あっても邪魔にはならない。
【００４０】
ただし、図４に示す設置済みの短パネルに長パネルを連結する作業をする際には、設置済みの短パネル上に連結すべき長パネルを縦に載置し、長パネルの両端部の短辺部材のそれぞれの中央部にチェーンを通した後に、長パネルをチェーンで吊り下げて長パネルの両端部のチェーンに作業員が手を添えて長パネルを所定位置まで移動させてから、２個所の長辺間連結金具をそれぞれ連結することになる。ところが、連結すべき長パネルの他端部が設置済みの短パネルの端部よりも１ｍ以上離れていると、設置済みのパネルの端部で作業する作業員は連結すべき長パネルの端部のチェーンに手が届かなくなるおそれがある。したがって、長パネルの非端部に設ける長辺間連結金具は長パネルの最も近い端部との間の距離が１ｍ以内になるように配置することが望ましい。
【００４１】
また、設置済みの短パネルに長パネルを連結した後であっても、長パネルの他端部は長辺間連結金具が設けられていたとしても、短パネルと直接に連結されているわけではなく、短パネルよりも長い分だけ外側に跳ね出していることになる。したがって、長パネルの他端部が設置済みの短パネルの他端部よりも１ｍ以上離れていると、長パネルの他端部の上では作業員の荷重でパネルが撓んで作業員がバランスを崩すおそれがある。したがって、長パネルの非端部に設ける長辺間連結金具は長パネルの最も近い端部との間の距離が１ｍ以内になるように配置することが望ましい。
【００４２】
以上の理由から、吊り足場の横幅を広げる場合に、図４に示す設置済みのパネル（短パネル）に連結する長パネルとしては、「長辺間連結金具が、１つの長辺当たり、両端部にそれぞれ１個と非端部に１個設けられており、かつ、非端部に設けられる長辺間連結金具に最も近い端部との間の距離が１ｍ以内」であればよいことが分かった。このとき、長パネルの他端に長辺間連結金具があっても構わない。また、長パネルの非端部に設けられる長辺間連結金具としては、非端部に最も近い端部との間の距離が１ｍ以内であれば、非端部に別の長辺間連結金具が設けられていても構わない。なお、不要な長辺間連結金具がある場合には、取り外してもよいし、邪魔にならなければそのままにしておいてもよい。また、長辺間連結金具を必要な位置へ長辺部上で移動可能に設けるようにしてもよい。
【００４３】
なお、吊り足場の幅を変更するに当たって上方から吊り足場を見たとき、右に拡幅する場合と左に拡幅する場合がある。長パネルを右拡幅用と左拡幅用に分ければ、長パネルの非端部に設ける長辺間連結金具は１個で済む。これに対して１個の長パネルを右拡幅用と左拡幅用の両方に使えるようにするためには、長パネルの非端部に設ける長辺間連結金具は少なくとも２個必要となる。
【００４４】
(d) 次に、吊り足場の横幅を狭める場合を考えてみると、一旦広げた吊り足場を狭めて元の幅に戻す場合には、設置済みの長パネルに、図４に示すパネル（短パネル）、すなわち、長辺間連結金具が、１つの長辺当たり、両端部にそれぞれ１個設けられてなるパネルを連結すればよい。このとき、設置済みの長パネルの非端部には短パネルの長辺間連結金具の位置に対応して、長辺間連結金具が設けられているので、長短パネルの長辺部同士を２個所で十分に連結することができる。
【００４５】
一旦広げた吊り足場を狭めて元の幅に戻す場合に、図４に示すパネル（短パネル）を設置済みの長パネルに連結した場合には、長辺間連結金具が両端部にしかないため、それ以上に幅を狭めることはできない。
【００４６】
しかしながら、吊り足場の横幅を狭める場合であっても、設置済みの長パネルに連結する短パネルとして、「長辺間連結金具が、１つの長辺当たり、両端部にそれぞれ１個と非端部に１個設けられており、かつ、非端部に設けられる長辺間連結金具に最も近い端部との間の距離が１ｍ以内」のパネルを使うことができる。長辺間連結金具が非端部にもあるから、その長辺間連結金具を使えば、長短パネルの長辺部同士を２個所で十分に連結することができる。
【００４７】
(e) ２つのパネルをその長辺同士で連結する別の手法としては、長辺間連結金具として、一方の長辺に設けられた連結受け部内の突出した預け金具と、他方の長辺に設けられた連結受け部内の突出した受け金具の組合せを採用することもできる。連結受け部内の突出した預け金具と連結受け部内の突出した受け金具の組合せによる連結手法に基づいて、長手方向の長さの異なるパネルを連結することについて、考察してみる。
【００４８】
図９は、連結受け部内の突出した預け金具と連結受け部内の突出した受け金具の組合せを採用してなる吊り足場用パネルの一例である。(a)は平面図、(b)はＩ部の詳細図、そして、(c)はＩ部の裏面図を示す。
【００４９】
この吊り足場用パネルは、２つの長辺用部材３５と２つの短辺用部材３６からなる長方形を有している。そして、２つの長辺用部材３５の間にはこれらをつなぐ角管形状の連結受け部１２が短辺用部材３６と平行に２本設けられ、いずれの連結受け部１２も長辺用部材３５の両側面に開口部を有している。そして、連結受け部１２の一方の開口部内には長辺用部材３５に対して直角に突出する形で預け金具２５が設けられ、そして、連結受け部１２の他方の開口部内には長辺用部材３５に対して直角に突出する形で受け金具２６が設けられている。ここで、預け金具２５と受け金具２６はそれぞれ固定ボルト４０によって連結受け部１２の上面及び下面に固定されている。また、長辺用部材３５の上面には２つのパネルを連結するための連結用ボルト（図示せず）を差し込むための連結用孔５０が穿たれている。なお、パネルの上面には床材８が張られていて、作業員がその上で作業をすることができる。
【００５０】
図１０は、図９に示す吊り足場用パネルの受け金具の詳細図である。(a)は正面図、(b)は左側面図、(c)は右側面図、(d)はＭ−Ｍ矢視図、そして、(e)はＮ−Ｎ矢視図を示す。
【００５１】
図１１は、図１０に示す受け金具を吊り足場用パネルの連結受け部に固定したときの図を示す。(a)は図９(b)のＪ部の詳細図、(b)は図９(b)のＪ部の裏面図、そして、(c)は図１１(a)のＬ−Ｌ矢視図を示す。
【００５２】
この受け金具２６は山形鋼からなり、その断面は上向きに開放されたＶ形状を有する。ここでは、底面ウェブとその両側面からなる、上向きに開放された断面コの字形状の鋼材２７で断面Ｖ形状の山形鋼を下から支えており、閉塞断面形状を形成している。したがって、剛性が高く、受け金具が地面等にぶつかることがあっても曲がりにくい。なお、断面Ｖ形状の山形鋼と断面コの字形状の鋼材２７は隅肉溶接によって接合されている。そして、この受け金具２６は連結受け部１２から受け金具２６が直角に突出する形で連結受け部１２内に固定されている。連結受け部１２の下面およびこの受け金具２６を支える断面コの字形状の鋼材２７の底面のウェブには、この底面のウェブを固定するための固定用ボルト４０を通すための固定用孔４１が穿たれている。また、連結受け部１２の位置する吊り足場用パネルの長辺用部材３５の上面には、対峙する預け金具をこの連結受け部１２内に収容した後、連結用ボルト（図示せず）を差し込むための連結用孔５０が形成されている。なお、ここでは、断面コの字形状の鋼材２７を用いることで、閉塞断面形状を有する受け金具としているが、格別に高い剛性を必要としない場合には山形鋼のみで受け金具を形成してもよい。
【００５３】
図１２は、図９に示す吊り足場用パネルの預け金具の詳細図であり、図１０で示した受け金具と組み合わせて用いる。(a)は正面図、(b)は左側面図、(c)は右側面図、(d)はＰ−Ｐ矢視図、そして、(e)はＱ−Ｑ矢視図を示す。
【００５４】
図１３は、図１２に示す預け金具を吊り足場用パネルの連結受け部に固定したときの図を示す。(a)は図９(b)のＫ部の詳細図、(b)は図９(b)のＫ部の裏面図、そして、(c)は図１３(a)のＯ−Ｏ矢視図を示す。
【００５５】
この預け金具２５は山形鋼からなり、その断面は上向きに開放されたＶ形状を有する。ここでは、断面Ｖ形状の山形鋼の上に平板２８を隅肉溶接して蓋をすることによって、閉塞断面形状を形成している。したがって、剛性が高く、預け金具が地面等にぶつかることがあっても曲がりにくい。そして、この預け金具２５は連結受け部１２から直角に突出する形で連結受け部１２内に固定されている。連結受け部１２の上面には、預け金具２５を固定するための固定用ボルト４０を通すための固定用孔４１が穿たれているが、その形状を長円形とするのは、吊り足場用パネルの設置を平面上でカーブさせることができるようにするためである。また、預け金具２５を設置済みのパネルの連結受け部内に収容した後、連結受け部の位置する吊り足場用パネルの長辺用部材３５に穿たれた連結用孔（図示せず）に差し込まれる連結用ボルト（図示せず）をねじ込むことができる連結用ナット５２が預け金具２５の上面の下に接して取り付けられている。なお、ここでは、平板２８を用いることで、閉塞断面形状を有する預け金具としているが、格別に高い剛性を必要としない場合には山形鋼のみで預け金具を形成してもよい。
【００５６】
(f) 図９〜図１３に示す吊り足場用パネルを用いて、吊り足場の横幅を広げる場合を考えてみると、設置済みのパネルは、角管形状の長辺間連結金具が、１つの長辺当たり、両端部の近傍にそれぞれ１個設けられてなるパネルが使われている。したがって、連結すべきパネルは、図９に示す設置済みのパネル（短パネル）よりも長い長辺を有する長パネルとなるから、この長パネルにおける長辺間連結金具の位置を考えればよいことになる。
【００５７】
この長パネルの長辺部を短パネルの長辺部に連結するためには、長辺部連結金具を少なくとも２個所で連結できればよいことになる。短パネルの長辺間連結金具はその両端部の近傍にそれぞれ１個設けられているから、長パネルには短パネルの長辺間連結金具の位置に対応して、長辺間連結金具を設ければよいことになる。すなわち、長パネルの長辺間連結金具は、長パネルの一端部の近傍に１個と非端部に１個設けられていればよい。このとき、長短パネルの長辺部同士の連結は、一方が長短パネルのそれぞれの一端の近傍に設けられた長辺間連結金具によって、そして、他方が長パネルの非端部に設けられた長辺間連結金具と短パネルの他端の近傍に設けられた長辺間連結金具によって、なされることになる。よって、長パネルの他端の近傍には長辺間連結金具を設ける必要はないが、あっても邪魔にはならない。
【００５８】
ただし、図９に示す設置済みの短パネルに長パネルを連結する作業をする際には、設置済みの短パネル上に連結すべき長パネルを縦に載置し、長パネルの両端部の短辺部材のそれぞれの中央部にチェーンを通した後に、長パネルをチェーンで吊り下げて長パネルの両端部のチェーンに作業員が手を添えて長パネルを所定位置まで移動させてから、２個所の長辺間連結金具をそれぞれ連結することになる。ところが、連結すべき長パネルの他端部が設置済みの短パネルの端部よりも１ｍ以上離れていると、設置済みのパネルの端部で作業する作業員は連結すべき長パネルの端部のチェーンに手が届かなくなるおそれがある。したがって、長パネルの非端部に設ける長辺間連結金具は長パネルの最も近い端部との間の距離が１ｍ以内になるように配置することが望ましい。
【００５９】
また、設置済みの短パネルに長パネルを連結した後であっても、長パネルの他端部の近傍に長辺間連結金具が設けられていたとしても、短パネルと直接に連結されているわけではなく、短パネルよりも長い分だけ外側に跳ね出していることになる。したがって、長パネルの他端部が設置済みの短パネルの他端部よりも１ｍ以上離れていると、長パネルの他端部の上では作業員の荷重でパネルが撓んで作業員がバランスを崩すおそれがある。したがって、長パネルの非端部に設ける長辺間連結金具は長パネルの最も近い端部との間の距離が１ｍ以内になるように配置することが望ましい。
【００６０】
以上の理由から、吊り足場の横幅を広げる場合に、図９に示す設置済みのパネル（短パネル）に連結する長パネルとしては、「長辺間連結金具が、１つの長辺当たり、両端部の近傍にそれぞれ１個と非端部に１個設けられており、かつ、非端部に設けられる長辺間連結金具に最も近い端部との間の距離が１ｍ以内」であればよいことが分かった。このとき、長パネルの他端の近傍に長辺間連結金具があっても構わない。また、長パネルの非端部に設けられる長辺間連結金具としては、非端部に最も近い端部との間の距離が１ｍ以内であれば、非端部に別の長辺間連結金具が設けられていても構わない。なお、不要な長辺間連結金具がある場合には、取り外してもよいし、邪魔にならなければそのままにしておいてもよい。また、長辺間連結金具を必要な位置へ長辺部上で移動可能に設けるようにしてもよい。
【００６１】
なお、吊り足場の幅を変更するに当たって上方から吊り足場を見たとき、右に拡幅する場合と左に拡幅する場合がある。長パネルを右拡幅用と左拡幅用に分ければ、長パネルの非端部に設ける長辺間連結金具は１個で済む。これに対して１個の長パネルを右拡幅用と左拡幅用の両方に使えるようにするためには、長パネルの非端部に設ける長辺間連結金具は少なくとも２個必要となる。
【００６２】
(g) 次に、吊り足場の横幅を狭める場合を考えてみると、一旦広げた吊り足場を狭めて元の幅に戻す場合には、設置済みの長パネルに、図９に示すパネル（短パネル）、すなわち、長辺間連結金具が、１つの長辺当たり、両端部の近傍にそれぞれ１個設けられてなるパネルを連結すればよい。このとき、設置済みの長パネルの非端部には短パネルの長辺間連結金具の位置に対応して、長辺間連結金具が設けられているので、長短パネルの長辺部同士を２個所で十分に連結することができる。
【００６３】
一旦広げた吊り足場を狭めて元の幅に戻す場合に、図９に示すパネル（短パネル）を設置済みの長パネルに連結した場合には、長辺間連結金具が両端部の近傍にしかないため、それ以上に幅を狭めることはできない。
【００６４】
しかしながら、吊り足場の横幅を狭める場合であっても、設置済みの長パネルに連結する短パネルとして、「長辺間連結金具が、１つの長辺当たり、両端部の近傍にそれぞれ１個と非端部に１個設けられており、かつ、非端部に設けられる長辺間連結金具に最も近い端部との間の距離が１ｍ以内」のパネルを使うことができる。長辺間連結金具が非端部にもあるから、その長辺間連結金具を使えば、長短パネルの長辺部同士を２個所で十分に連結することができる。
【００６５】
本発明は、上記の知見に基づきなされたもので、その要旨は下記の(1)〜(7)の吊り足場用パネルおよびその連結方法にある。以下、総称して、本発明という。
【００６６】
(1) 縦横に連結させ水平方向に構築していく長方形の吊り足場用パネルであって、長辺間連結金具が、１つの長辺当たり、両端部またはその近傍にそれぞれ１個と非端部に少なくとも１個設けられており、かつ、非端部に設けられる長辺間連結金具に最も近い端部との間の距離が１ｍ以内であることを特徴とする吊り足場用パネル。
【００６７】
(2) 縦横に連結させ水平方向に構築していく長方形の吊り足場用パネルであって、長辺間連結金具が、１つの長辺当たり、一方の端部またはその近傍に１個と非端部に１個以上設けられており、かつ、非端部に設けられる長辺間連結金具と他方の端部との間の距離が１ｍ以内であることを特徴とする吊り足場用パネル。
【００６８】
(3) 長辺間連結金具が長辺部上で移動可能であることを特徴とする、上記(1)または(2)の吊り足場用パネル。
【００６９】
(4) 長辺間連結金具が、一方の長辺から突出した連結具と、他方の長辺に設けられかつその突出した連結具の先端を差し込むことのできる孔を有する連結受け部との組合せからなることを特徴とする、上記(1)〜(3)のいずれかの吊り足場用パネル。
【００７０】
(5) 長辺間連結金具が、一方の長辺に設けられた連結受け部内の突出した預け金具と、他方の長辺に設けられた連結受け部内の突出した受け金具の組合せからなることを特徴とする、上記(1)〜(3)のいずれかの吊り足場用パネル。
【００７１】
(6) 縦横に連結させ水平方向に構築していく吊り足場用パネルの連結方法であって、長辺間連結金具が、１つの長辺当たり、両端部またはその近傍にそれぞれ１個設けられてなるパネルに、このパネルよりも長い長辺を有する上記(1)〜(5)のいずれかのパネルを長辺同士で連結する際に、両パネルの一方の端部またはその近傍に設けられた長辺間連結金具同士を連結し、そして、前者のパネルの他方の端部またはその近傍に設けられた長辺間連結金具に、後者のパネルの非端部に設けられた長辺間連結金具のうち他方の端部との間の距離が１ｍ以内にある長辺間連結金具を連結することを特徴とする吊り足場用パネルの連結方法。
【００７２】
(7) 縦横に連結させ水平方向に構築していく吊り足場用パネルの連結方法であって、上記(1)〜(5)のいずれかのパネルに、このパネルよりも短い長辺を有し、かつ長辺間連結金具が、１つの長辺当たり、両端部またはその近傍にそれぞれ１個設けられてなるパネルを長辺同士で連結する際に、両パネルの一方の端部またはその近傍に設けられた長辺間連結金具同士を連結し、そして、前者のパネルの非端部に設けられた長辺間連結金具のうち他方の端部との間の距離が１ｍ以内にある長辺間連結金具に、後者のパネルの他方の端部またはその近傍に設けられた長辺間連結金具を連結することを特徴とする吊り足場用パネルの連結方法。
【発明の効果】
【００７３】
本発明に係る吊り足場用パネルは、長手方向の長さの異なるパネルをその長辺同士で連結する場合であっても、２つのパネル同士を十分に連結することができる。
【図面の簡単な説明】
【００７４】
【図１】パネル方式による吊り足場の模式図である。(a)が橋桁の軸直角方向の断面図であり、(b)がそのＡ−Ａ矢視の平面図である。
【図２】吊り足場の横幅の全部を避難所の幅の分だけ広げたときの模式図である。(a)が橋桁の軸直角方向の断面図であり、(b)がそのＢ−Ｂ矢視の平面図である。
【図３】吊り足場の横幅の一部を避難所の幅の分だけ広げたときの模式図である。(a)が橋桁の軸直角方向の断面図であり、(b)がそのＣ−Ｃ矢視の平面図である。
【図４】特許文献１に基づいて実用化されているパネルの一例（従来例）である。(a)が背面図、(b)が平面図、(c)が正面図、そして、(d)がＤ−Ｄ矢視図である。
【図５】長手方向の長さの異なるパネル(A)と(B)を連結しようとするときの模式図である。(ア)は短いパネルの連結、（イ）は同じ長さのパネルの連結、そして、（ウ）は短いパネルの連結を、それぞれ示す。
【図６】設置済みの２枚の短パネルに長パネルを連結したときの模式図である。(a)が平面図、そして、(b)がＥ−Ｅ矢視の長パネル上を作業員が歩くときの状況を示す。
【図７】図６のＦ−Ｆ矢視の長パネル上を作業員が歩くときの状況の２例を示す。
【図８】吊り下げるチェーン数を増やすことで、パネルを安定化した例である。(a)が平面図、そして、(b)がＧ−Ｇ矢視の長パネル上を作業員が歩くときの状況を示す。
【図９】連結受け部内の突出した預け金具と連結受け部内の突出した受け金具の組合せを採用してなる吊り足場用パネルの一例である。
【図１０】図９に示す吊り足場用パネルの受け金具の詳細図である。
【図１１】図１０に示す受け金具を吊り足場用パネルの連結受け部に固定したときの図を示す。
【図１２】図９に示す吊り足場用パネルの預け金具の詳細図であり、図１０で示した受け金具と組み合わせて用いる。
【図１３】図１２に示す預け金具を吊り足場用パネルの連結受け部に固定したときの図を示す。
【図１４】本発明に係る吊り足場用パネルの一例である。
【図１５】図１４に示す長パネルを設置済みの短パネルに連結して吊り足場を拡幅しようとするときの模式図である。
【図１６】本発明に係る吊り足場用パネルの他の例である。
【図１７】図１６に示す長パネルを設置済みの短パネルに連結して吊り足場を拡幅しようとするときの模式図である。
【図１８】本発明に係る吊り足場用パネルの他の例である。
【図１９】図１８に示す長パネルを設置済みの短パネルに連結して吊り足場を拡幅しようとするときの模式図である。
【図２０】図１４〜図１９に示す吊り足場用パネルの長辺間連結金具の一例であり、突出した連結具（左側）の先端に差し込むことのできる孔を有する連結受け部（右側）の組合せを示す。
【図２１】図２０に示す長辺間連結金具のうち、連結具を取り外した状態を示す。
【図２２】本発明に係る吊り足場用パネルの連結受け部の構造の３例を示す。
【図２３】本発明に係る吊り足場用パネルの他の例を示す平面図である。
【発明を実施するための形態】
【００７５】
以下、図面を用いて本発明に係る吊り足場用パネルおよびその連結方法を説明する。
【実施例】
【００７６】
図１４は、本発明に係る吊り足場用パネルの一例である。(a)が平面図、(b)が正面図である。
【００７７】
この吊り足場用パネル(長パネル)は、２つの長辺６ａと２つの短辺６ｂからなる長方形を有している。その長辺６ａの長さは図４で示されたパネル（短パネル）のものよりも長い。そして、２つの短辺６ｂは丸パイプからなり、その一端には突出した連結具１１が設けられ、そして、他端にはその突出した連結具１１の先端に差し込むことのできる孔を有する連結受け部１２が設けられていて、２つの短辺６ｂは長辺間連結金具を兼ねている。さらに、２つの長辺６ａの間にはこれらをつなぐ丸パイプが２つの短辺６ｂと平行に２本設けられていて、いずれも一方の開口部に追加された連結受け部１２ａを形成している。すなわち、この長パネルの長辺の非端部には、追加された連結受け部が２個設けられていることになる。なお、後述する理由により、これらの非端部に設けられる連結受け部は、それぞれ、長パネルの最も近い端部との間の距離（跳ねだし距離）が１ｍ以内になるように配置することが望ましい。
【００７８】
図１５は、図１４に示す長パネルを設置済みの短パネルに連結して吊り足場を拡幅しようとするときの模式図である。(a)は左に拡幅する場合、そして、(b)は右に拡幅する場合である。
【００７９】
まず、(a)の左に拡幅する場合には、設置済みの短パネル上に連結すべき長パネルを縦に載置し、長パネルの両端部の短辺用部材３６のそれぞれの中央部（吊り位置１０）にチェーン（図示せず）を通した後に、長パネルをチェーンで吊り下げて長パネルの両端部のチェーンに作業員が手を添えて長パネルを所定位置まで移動させてから、設置済みの短パネルの右側の連結具１１に長パネルの右側の連結受け部１２を位置合わせし、そして、設置済みの短パネルの左側の連結具１１に長パネルの非端部にある左側の追加された連結受け部１２ａを位置合わせした後、長パネルの右側の連結受け部１２と左側の追加された連結受け部１２ａのそれぞれを短パネルの連結具１１、１１のそれぞれに外挿することで連結することができる。このようにパネルの長辺部同士を２個所の長辺間連結金具で連結できるので、その連結は十分なものとなる。
【００８０】
なお、これらの非端部に設けられる追加された連結受け部１２ａは、それぞれ、長パネルの最も近い端部との間の距離（跳ねだし距離）が１ｍ以内になるように配置することが望ましいとした理由は次のとおりである。連結すべき長パネルの他端部が設置済みの短パネルの端部よりも１ｍ以上離れていると、設置済みのパネルの端部で作業する作業員は連結すべき長パネルの端部のチェーンに手が届かなくなるおそれがある。また、設置済みの短パネルに長パネルと連結した後に、短パネルよりも長い分だけ長パネルが外側に１ｍ以上跳ね出していると、長パネルの他端部の上では作業員の荷重でパネルが撓んで作業員がバランスを崩すおそれがある。
【００８１】
次に、(b)の右に拡幅する場合には、設置済みの短パネル上に連結すべき長パネルを縦に載置し、長パネルの両端部の短辺用部材３６のそれぞれの中央部（吊り位置１０）にチェーン（図示せず）を通した後に、長パネルをチェーンで吊り下げて長パネルの両端部のチェーンに作業員が手を添えて長パネルを所定位置まで移動させてから、設置済みの短パネルの左側の連結具１１に長パネルの左側の連結受け部１２を位置合わせし、そして、設置済みの短パネルの右側の連結具１１に長パネルの非端部にある右側の追加された連結受け部１２ａを位置合わせした後、長パネルの左側の連結受け部１２と右側の追加された連結受け部１２ａのそれぞれを短パネルの連結具１１、１１のそれぞれに外挿することで連結することができる。このようにパネルの長辺部同士を２個所の長辺間連結金具で連結できるので、その連結は十分なものとなる。
【００８２】
なお、これらの非端部に設けられる追加された連結受け部１２ａは、それぞれ、長パネルの最も近い端部との間の距離（跳ねだし距離）が１ｍ以内になるように配置することが望ましいとした理由は、(a)の左に拡幅する場合と同じである。
【００８３】
以上説明したとおり、図１４に示す長パネルは、吊りパネルを左に拡幅する場合だけでなく、右に拡幅する場合にも使用することができる。
【００８４】
図１６は、本発明に係る吊り足場用パネルの他の例である。(a)が平面図、(b)が正面図である。
【００８５】
この吊り足場用パネル(長パネル)は、２つの長辺６ａと２つの短辺６ｂからなる長方形を有している。その長辺６ａの長さは図４で示されたパネル（短パネル）のものよりも長い。そして、２つの短辺６ｂは丸パイプからなり、その一端には突出した連結具１１が設けられ、そして、他端にはその突出した連結具１１の先端に差し込むことのできる孔を有する連結受け部１２が設けられていて、２つの短辺６ｂは長辺間連結金具を兼ねている。さらに、２つの長辺６ａの間にはこれらをつなぐ丸パイプが短辺６ｂと平行に形成されていて、一方の開口部に追加された連結受け部１２ａが設けられている。換言すると、この長パネルの長辺の非端部には、追加された連結受け部が設けられている。なお、後述する理由により、この非端部に設けられる連結受け部は、長パネルの最も近い端部との間の距離が１ｍ以内になるように配置することが望ましい。
【００８６】
図１７は、図１６に示す長パネルを設置済みの短パネルに連結して吊り足場を拡幅しようとするときの模式図である。
【００８７】
この長パネルは、左に拡幅することはできるが、右に拡幅することはできない。左に拡幅する場合には、設置済みの短パネル上に連結すべき長パネルを縦に載置し、長パネルの両端部の短辺用部材３６のそれぞれの中央部（吊り位置１０）にチェーン（図示せず）を通した後に、長パネルをチェーンで吊り下げて長パネルの両端部のチェーンに作業員が手を添えて長パネルを所定位置まで移動させてから、設置済みの短パネルの右側の連結具１１に長パネルの右側の連結受け部１２を位置合わせし、そして、設置済みの短パネルの左側の連結具１１に長パネルの非端部にある追加された連結受け部１２ａを位置合わせした後、長パネルの右側の連結受け部１２と追加された連結受け部１２ａのそれぞれを短パネルの連結具１１、１１のそれぞれに外挿することで連結することができる。このようにパネルの長辺部同士を２個所の長辺間連結金具で連結できるので、その連結は十分なものとなる。
【００８８】
なお、これらの非端部に設けられる追加された連結受け部１２ａは、長パネルの最も近い端部との間の距離（跳ねだし距離）が１ｍ以内になるように配置することが望ましいとした理由は、図１４に示すパネルの場合と同じである。
【００８９】
図１８は、本発明に係る吊り足場用パネルの他の例である。(a)が平面図、(b)が正面図である。
【００９０】
この吊り足場用パネル(長パネル)は、２つの長辺６ａと２つの短辺６ｂからなる長方形を有している。その長辺６ａの長さは図４で示されたパネル（短パネル）のものよりも長い。そして、２つの短辺６ｂは丸パイプからなり、その一端には突出した連結具１１が設けられ、そして、他端にはその突出した連結具１１の先端に差し込むことのできる孔を有する連結受け部１２が設けられていて、２つの短辺６ｂは長辺間連結金具を兼ねている。さらに、２つの長辺６ａの間にはこれらをつなぐ丸パイプが短辺６ｂと平行に形成されていて、一方の開口部に追加された連結受け部１２ａが設けられている。換言すると、この長パネルの長辺の非端部には、追加された連結受け部が設けられている。なお、後述する理由により、この非端部に設けられる連結受け部は、長パネルの最も近い端部との間の距離が１ｍ以内になるように配置することが望ましい。
【００９１】
図１９は、図１８に示す長パネルを設置済みの短パネルに連結して吊り足場を拡幅しようとするときの模式図である。
【００９２】
この長パネルは、右に拡幅することはできるが、左に拡幅することはできない。右に拡幅する場合には、設置済みの短パネル上に連結すべき長パネルを縦に載置し、長パネルの両端部の短辺用部材３６のそれぞれの中央部（吊り位置１０）にチェーン（図示せず）を通した後に、長パネルをチェーンで吊り下げて長パネルの両端部のチェーンに作業員が手を添えて長パネルを所定位置まで移動させてから、設置済みの短パネルの左側の連結具１１に長パネルの左側の連結受け部１２を位置合わせし、そして、設置済みの短パネルの右側の連結具１１に長パネルの非端部にある追加された連結受け部１２ａを位置合わせした後、長パネルの左側の連結受け部１２と追加された連結受け部１２ａのそれぞれを短パネルの連結具１１、１１のそれぞれに外挿することで連結することができる。このようにパネルの長辺部同士を２個所の長辺間連結金具で連結できるので、その連結は十分なものとなる。
【００９３】
なお、これらの非端部に設けられる追加された連結受け部１２ａは、長パネルの最も近い端部との間の距離（跳ねだし距離）が１ｍ以内になるように配置することが望ましいとした理由は、図１４に示すパネルの場合と同じである。
【００９４】
図２０は、図１４〜図１９に示す吊り足場用パネルの長辺間連結金具の一例であり、突出した連結具（左側）の先端に差し込むことのできる孔を有する連結受け部（右側）の組合せを示す。(a)が平面図、(b)が正面図である。
【００９５】
この連結具１１は、上面のウェブとその両側のフランジからなり、その断面は下向きに開放された略コの字形を有する。そして、この連結具１１は、パネルの長辺部６ａから側面に突出する形で、パネルの２つの長辺間をつなぐ丸パイプの開口部内に、固定用ボルト４０でもって固定されている。これに対して、連結受け部１２はパネルの長辺部６ａに設けられており、突出した連結具１１の先端に差し込むことのできる孔を有する。ここでは、パネルの２つの長辺間をつなぐ丸パイプの反対側の開口部が連結受け部を形成している。設置済みのパネル（左側）の長辺部に設けられた連結具１１の突出部に、連結しようとするパネル（右側）の長辺部に設けられた連結受け具１２を外挿し、連結用孔５０と連結用ナット５２を位置合わせし、そこに連結用ボルトをねじ込むことによって、パネルの長辺同士を連結することができる。
【００９６】
図２１は、図２０に示す長辺間連結金具のうち、連結具を取り外した状態を示す。(a)が平面図、(b)が正面図である。
【００９７】
この連結具１１は、パネルの２つの長辺間をつなぐ丸パイプの開口部内に固定用ボルトでもって固定されていたものであるが、図示されるように、固定用ボルト４０を丸パイプの開口部に穿たれた固定用孔から取り外すことができる。したがって、連結具１１を長辺上で必要な位置へ移動させることができる。
【００９８】
図２２は、本発明に係る吊り足場用パネルの連結受け部の構造の３例を示す。(a)は足場用パネルの平面図であり、(b)〜(d)は(a)で長円で表示された連結受け部の３種の詳細図である。
【００９９】
(a)はパネルの２つの長辺間６ａの間をつなぐ丸パイプで連結受け部１２を形成したものである。(b)は２つの長辺近傍のみに短い丸パイプを設置し、分断された連結受け部１２ｃを形成したものである。そして、(c)は(b)の分断された２つの連結受け部１２ｃの間を補強材１７でつなぐことによって補強したものである。
【０１００】
図２３は、本発明に係る吊り足場用パネルの他の例を示す平面図である。
【０１０１】
この吊り足場用パネルは、長辺間連結金具として、一方の長辺に設けられた連結受け部内の突出した預け金具と、他方の長辺に設けられた連結受け部内の突出した受け金具の組合せを採用したものである。
【０１０２】
この吊り足場用パネルは、２つの長辺用部材３５と２つの短辺用部材３６からなる長方形を有している。その長辺用部材３５の長さは図９で示されたパネル（短パネル）のものよりも長い。２つの短辺用部材３６は丸パイプからなる。そして、２つの長辺用部材３５の間には角管形状の連結受け部１２が短辺用部材３６の内側近傍に短辺用部材３６と平行にそれぞれ設けられ、いずれの連結受け部１２も長辺用部材３５の両側面に開口部を有している。さらに、２つの長辺用部材３５の間には、長辺用部材３５の非端部に角管形状の追加された連結受け部１２ａが短辺用部材３６と平行に２本設けられ、いずれの追加された連結受け部１２ａも長辺用部材３５の両側面に開口部を有している。すなわち、この長パネルの長辺の非端部には、追加された連結受け部が２個設けられていることになる。なお、後述する理由により、これらの非端部に設けられる連結受け部は、それぞれ、長パネルの最も近い端部との間の距離が１ｍ以内になるように配置することが望ましい。
【０１０３】
そして、連結受け部１２の一方の開口部内には長辺用部材３５に対して直角に突出する形で預け金具２５がそれぞれ設けられ、そして、連結受け部１２の他方の開口部内には長辺用部材３５に対して直角に突出する形で受け金具２６がそれぞれ設けられている。さらに、長辺用部材３５の非端部に追加された連結受け部１２ａのうち、左側の連結受け部１２ａの一方の開口部内には長辺用部材３５に対して直角に突出する形で預け金具２５が設けられ、そして、連結受け部１２の他方の開口部内には長辺用部材３５に対して直角に突出する形で受け金具２６が設けられている。すなわち、この長パネルの長辺用部材３５の非端部には、追加された連結受け部が２個設けられているが、ここでは、そのうちの左側の連結受け部のみに、預け金具と受け金具が設けられていることになる。
【０１０４】
ここで、連結受け部１２および追加された連結受け部の開口部に設けられる預け金具２５と受け金具２６は、それぞれ、図１２および図１０に示されたものとおなじである。預け金具および受け金具は、それぞれ固定ボルトによって連結受け部の上面及び下面に固定されている点と、長辺用部材３５の上面には２つのパネルを連結するための連結用ボルトを差し込むための連結用孔５０が穿たれている点も、図１２および図１０に示されたものとおなじである。なお、パネルの上面には床材８が張られていて、作業員がその上で作業をすることができる。
【０１０５】
ここで、連結受け部はパネルの両短辺部材の近傍の２個所と、パネルの非端部の２個所に設けられているが、パネルの非端部に設ける連結受け部は少なくとも１個あればよいが、３個以上あっても構わない。ただし、非端部に最も近い短辺部材との間の距離が１ｍ以内であることが望ましい。なお、不要な連結受け部がある場合には、取り外してもよいし、邪魔にならなければそのままにしておいてもよい。また、連結受け部を必要な位置へ長辺部上で移動可能に設けるようにしてもよい。
【０１０６】
図２３に示す長パネルにおいて、これらの非端部に設けられる連結受け部は、それぞれ、長パネルの最も近い端部との間の距離が１ｍ以内になるように位置させる理由は、図１４の長パネルと同じであるから、説明は省略する。
【０１０７】
また、図２３に示す長パネルを、設置済みの図９に示す短パネルに連結して吊り足場を拡幅しようとするときの連結方法は、図１４の長パネルを用いて、左に拡幅するときと同様であるから、説明は省略するが、長さの異なるパネルであっても、その長辺部同士を２個所の長辺間連結金具で連結できるので、その連結は十分なものとなる。
【０１０８】
なお、図２３に示す長パネルはそのままでは左に拡幅するときには連結することはできないが、左側の追加された連結受け部の開口部に設けられた預け金具と受け金具を取り外して、右側の追加された連結受け部の開口部に移動させれば、右に拡幅する場合には使用することができる。
【産業上の利用可能性】
【０１０９】
本発明に係る吊り足場用パネルは、長手方向の長さの異なるパネルをその長辺同士で連結する場合であっても、２つのパネル同士を十分に連結することができる。
【符号の説明】
【０１１０】
１  吊り足場
２  床版部
２ａ  拡幅部
３  橋梁部
３ａ  橋梁部のＩ形鋼のフランジ
３ｂ  橋梁部の横幅
３ｃ  橋梁部投影線
４  チェーンクランプ
５  チェーン
６  パネル
６ａ  パネル長辺
６ｂ  パネル短辺
７  チェーン位置
８  床材
９  吊りフック
１０  吊り位置
１１  連結具
１２  連結受け部
１２ａ  追加された連結受け部
１３  貫通孔
１４  係止孔
１５  貫通ピン
１６  調整ボルト
１７  補強材
２５  預け金具
２６  受け金具
２７  断面コの字形状の鋼材
２８  平板
３５  長辺用部材
３６  短辺用部材
４０  固定用ボルト
４１  固定用孔
５０  連結用孔
５２  連結用ナット
【図１】
2015081455.tif 000003
【図２】
2015081455.tif 000004
【図３】
2015081455.tif 000005
【図４】
2015081455.tif 000006
【図５】
2015081455.tif 000007
【図６】
2015081455.tif 000008
【図７】
2015081455.tif 000009
【図８】
2015081455.tif 000010
【図９】
2015081455.tif 000011
【図１０】
2015081455.tif 000012
【図１１】
2015081455.tif 000013
【図１２】
2015081455.tif 000014
【図１３】
2015081455.tif 000015
【図１４】
2015081455.tif 000016
【図１５】
2015081455.tif 000017
【図１６】
2015081455.tif 000018
【図１７】
2015081455.tif 000019
【図１８】
2015081455.tif 000020
【図１９】
2015081455.tif 000021
【図２０】
2015081455.tif 000022
【図２１】
2015081455.tif 000023
【図２２】
2015081455.tif 000024
【図２３】
2015081455.tif 000025